(57)【特許請求の範囲】
【請求項１】
ホストのコンピュータに装着され、該ホストと無線基地局との間のデータ通信に使用される通信端末であって、
通信サービスの種別を識別するための特殊番号を記憶部に記憶する特殊番号記憶手段と、
通信サービスの種別を設定スイッチにより選択するためのスイッチ設定手段と、
前記設定スイッチのスイッチ情報を検出し、選択された通信サービスの種別を判定する通信サービス種別判定手段と、
前記ホストから発呼コマンドを受信した場合に、該発呼コマンドに特殊番号が含まれているか否かを判定し、特殊番号が含まれている場合には該特殊番号を削除する特番削除手段と、
前記特番削除手段により特殊番号が削除された発呼コマンドに、前記通信サービス種別判定手段により判定された通信サービスに対応する特殊番号を、前記記憶部から読み出して付加する特番付加手段と、
前記特番付加手段により特殊番号が付加された発呼コマンドにより発呼処理を行う発呼処理手段と
を備えることを特徴とする通信端末。
【請求項２】
前記スイッチ設定手段には、ホストから受信した発呼コマンドをそのまま使用することを選択する手段を
備えることを特徴とする請求項１に記載の通信端末。
【請求項３】
前記スイッチ設定手段による通信サービス種別の設定の種類には、
ホストから受信した発呼コマンドをそのまま使用することを選択するＯＦＦ設定と、
所定の通信方式および所定の通信速度を選択するＯＮ設定が含まれ、
前記特殊番号記憶手段により、前記サービス種別の設定の種類に対応する特殊番号が記憶部に記録されていること
を特徴とする請求項１または請求項２に記載の通信端末。
【請求項４】
前記所定の通信方式と所定の通信速度を選択するＯＮ設定は、
ＰＩＡＦＳによる複数の異なる通信速度の通信サービスを選択する設定と、
パケット通信方式による複数の異なる通信速度の通信サービスを選択する設定と、
データ流量に応じて通信速度を切り替える通信サービスを選択する設定と、
のいずれか又は全部が含まれることを特徴とする請求項１から３のいずれかに記載の通信端末。
【請求項５】
通信サービスの種別を識別するための特殊番号を記憶する記憶部が読み書き可能な不揮発性メモリであることを特徴とする請求項１から３のいずれかに記載の通信端末。
【請求項６】
前記通信端末が、さらに発呼先電話番号の設定が可能なように構成されたこと
を特徴とする請求項１から４のいずれかに記載の通信端末。
【請求項７】
ホストのコンピュータに装着され、該ホストと無線基地局との間のデータ通信に使用される通信端末における通信サービス種別設定方法であって、
設定スイッチにより通信サービスの種別を選択するためのスイッチ設定手順と、
前記通信端末内のコンピュータが、前記設定スイッチのスイッチ情報を検出し、選択された通信サービスの種別を判定する通信サービス種別判定手順と、
前記通信端末内のコンピュータが、前記通信サービスの種別を識別するための特殊番号を記憶部に記憶する特殊番号記憶手順と、
前記通信端末内のコンピュータが、前記ホストから発呼コマンドを受信した場合に、該発呼コマンドに特殊番号が含まれているか否かを判定し、特殊番号が含まれている場合には該特殊番号を削除する特番削除手順と、
前記通信端末内のコンピュータが、前記特番削除手順により特殊番号が削除された発呼コマンドに、前記通信サービス種別判定手順により判定された通信サービスに対応する特殊番号を、前記記憶部から読み出して付加する特番付加手順と、
前記通信端末内のコンピュータが、前記特番付加手順により特殊番号が付加された発呼コマンドにより発呼処理を行う発呼処理手順と
を含むことを特徴とする通信サービス種別設定方法。
【請求項８】
ホストのコンピュータに装着され、該ホストと無線基地局との間のデータ通信に使用される通信端末内のコンピュータに、
通信サービスの種別を識別するための特殊番号を記憶部に記憶する特殊番号記憶手順と、
通信サービスの種別を選択するための設定スイッチのスイッチ情報を検出し、選択された通信サービスの種別を判定を判定する通信サービス種別判定手順と、
前記ホストから発呼コマンドを受信した場合に、該発呼コマンドに特殊番号が含まれているか否かを判定し、特殊番号が含まれている場合には該特殊番号を削除する特番削除手順と、
前記特番削除手順により特殊番号が削除された発呼コマンドに、前記通信サービス種別判定手順により判定された通信サービスに対応する特殊番号を、前記記憶部から読み出して付加する特番付加手順と、
前記特番付加手順により特殊番号が付加された発呼コマンドにより発呼処理を行う発呼処理手順と
を実行させるためのプログラムを記録したコンピュータ読み取り可能な記録媒体。
【請求項９】
ホストのコンピュータに装着され、該ホストと無線基地局との間のデータ通信に使用される通信端末内のコンピュータに、
通信サービスの種別を識別するための特殊番号を記憶部に記憶する特殊番号記憶手順と、
通信サービスの種別を選択するための設定スイッチの情報を検出し、選択された通信サービスの種別を判定する通信サービス種別判定手順と、
前記ホストから発呼コマンドを受信した場合に、該発呼コマンドに特殊番号が含まれているか否かを判定し、特殊番号が含まれている場合には該特殊番号を削除する特番削除手順と、
前記特番削除手順により特殊番号が削除された発呼コマンドに、前記通信サービス種別判定手順により判定された通信サービスに対応する特殊番号を、前記記憶部から読み出して付加する特番付加手順と、
前記特番付加手順により特殊番号が付加された発呼コマンドにより発呼処理を行う発呼処理手順と
を実行させるためのプログラム。
【発明の詳細な説明】
【技術分野】
【０００１】
本発明は、通信端末、通信サービス種別設定方法、記録媒体、およびプログラムに関し、特に、ユーザによる通信サービス種別の設定を簡略化できる、通信端末、通信サービス種別設定方法、記録媒体、およびプログラムに関する。
【背景技術】
【０００２】
近時、モバイルコンピューティングが盛んになり、ホストのコンピュータにＰＨＳ（Personal Handyphone System）の通信端末（ＰＨＳデータ通信カードなど）を装着し、ＰＨＳ通信サービスを利用する例が多くなっている。このＰＨＳ通信サービスにおいて、ユーザが契約する通信サービスの種別を変更しようとする場合は、サービス種別に合わせて、ＰＣ（パーソナルコンピュータ）などのホストのダイヤルアップ発呼先設定の変更が必要となる。例えば、パソコン画面上で発信先電話番号入力画面を開き、「電話番号＋特殊番号（０３×××１２３４＃＃６４等）」を入力してサービス種別を変更する。しかしながら、ホストの設定操作に不慣れなユーザにとっては、ダイヤルアップ発呼先設定の変更が容易でない場合があり、また、通信端末を複数台保有するユーザにとっては保有台数分の設定変更の手間が必要となり煩わしい作業となっていた。
【０００３】
なお、従来技術の自動発信装置がある（例えば、特許文献１参照）。この従来技術の自動発信装置は、１つの発信要求に対して、その相手電話番号の端末に対して接続ができなかった場合に、再度発信の要求を出して自動発信を指示する必要があり、効率的ではなかったという問題の解決を目的とし、複数の相手電話番号を記憶する記憶手段を設け、さらに、ある相手電話番号に対する発信の失敗を検出したときは、別の相手電話番号に発信する発信手段を設けるようにしたものである。しかしながら、本発明は、ユーザが契約する通信サービスのサービス種別を変更する場合に、サービス種別の変更に合わせてパソコンなどのホストのダイヤルアップ発呼先設定の変更が必要となり、ホストの設定操作に不慣れユーザにとっては、ダイヤルアップ発呼先設定の変更が容易でないという問題などの解決を目的としており、本発明と特許文献１の従来技術とは、発明の目的と構成が異なるものである。
【特許文献１】特開平８−１６７９３３号公報
【発明の開示】
【発明が解決しようとする課題】
【０００４】
上述したように、ＰＨＳ通信サービスにおいては、ユーザが契約するサービス種別を変更すると、サービス種別に合わせてパソコンなどのホストのダイヤルアップ発呼先設定の変更が必要となる。しかしながら、ホストの設定操作に不慣れユーザにとっては、ダイヤルアップ発呼先設定の変更が容易でない場合があり、また、通信端末を複数台保有するユーザにとっては保有台数分の設定変更の手間が必要となり煩わし作業となっていた。
【０００５】
本発明はこのような問題を解決するためになされたもので、その目的は、ユーザによる通信サービスのサービス種別の設定を簡略化でき、またホストが変わってもそのままの状態で使用でき、さらに、複数のホストを保有するユーザの通信サービスのサービス種別の設定の手間を低減できる、通信端末、通信サービス種別設定方法、記録媒体、およびプログラムを提供することにある。
【課題を解決するための手段】
【０００６】
本発明は上記課題を解決するためになされたものであり、本発明の通信端末は、ホストのコンピュータに装着され、該ホストと無線基地局との間のデータ通信に使用される通信端末であって、通信サービスの種別を識別するための特殊番号を記憶部に記憶する特殊番号記憶手段と、通信サービスの種別を設定スイッチにより選択するためのスイッチ設定手段と、前記設定スイッチのスイッチ情報を検出し、選択された通信サービスの種別を判定する通信サービス種別判定手段と、前記ホストから発呼コマンドを受信した場合に、該発呼コマンドに特殊番号が含まれているか否かを判定し、特殊番号が含まれている場合には該特殊番号を削除する特番削除手段と、前記特番削除手段により特殊番号が削除された発呼コマンドに、前記通信サービス種別判定手段により判定された通信サービスに対応する特殊番号を、前記記憶部から読み出して付加する特番付加手段と、前記特番付加手段により特殊番号が付加された発呼コマンドにより発呼処理を行う発呼処理手段とを備えることを特徴とする。
これにより、従来ホスト側で行っていたサービス種別の設定を通信端末（例えば、ＰＨＳデータ通信カード）側で行うことができ、ユーザによるサービス種別の設定を簡略化でき、また誤入力を避けることができる。また、サービス種別をホスト側の設定に依存しないようにできるため、ホストが変わってもそのままの状態で使用することができ、複数のホストを保有するユーザのサービス種別設定の手間を削減できる。
【０００７】
また、本発明の通信端末は、前記スイッチ設定手段には、ホストから受信した発呼コマンドをそのまま使用することを選択する手段を備えることを特徴とする。
これにより、ホスト側でサービス種別の設定を行うこともできるようになる。
【０００８】
また、本発明の通信端末は、前記スイッチ設定手段による通信サービス種別の設定の種類には、ホストから受信した発呼コマンドをそのまま使用することを選択するＯＦＦ設定と、所定の通信方式および所定の通信速度を選択するＯＮ設定が含まれ、前記特殊番号記憶手段により、前記サービス種別の設定の種類に対応する特殊番号が記憶部に記録されていることを特徴とする。
これにより、各通信事業者が提供する通信サービスの種類に応じて、利用する通信サービスを通信端末側で容易にスイッチ設定できるようになる。
【０００９】
また、本発明の通信端末は、前記所定の通信方式と所定の通信速度を選択するＯＮ設定は、ＰＩＡＦＳによる複数の異なる通信速度の通信サービスを選択する設定と、パケット通信方式による複数の異なる通信速度の通信サービスを選択する設定と、データ流量に応じて通信速度を切り替える通信サービスを選択する設定と、のいずれか又は全部が含まれることを特徴とする。
【００１０】
また、本発明の通信端末は、通信サービスの種別を識別するための特殊番号を記憶する記憶部が読み書き可能な不揮発性メモリであることを特徴とする。
これにより、将来サービスの変更・増設が発生した場合にも対応が可能となる。
【００１１】
また、本発明の通信端末は、前記通信端末が、さらに発呼先電話番号の設定が可能なように構成されたことを特徴とする。
これにより、発呼先電話番号も設定可能となり、さらにユーザ設定が簡略化できる（ホストのダイヤルアップ設定時の電話番号設定は任意となる）。
【００１２】
また、本発明の通信サービス種別設定方法は、ホストのコンピュータに装着され、該ホストと無線基地局との間のデータ通信に使用される通信端末における通信サービス種別設定方法であって、設定スイッチにより通信サービスの種別を選択するためのスイッチ設定手順と、前記通信端末内のコンピュータが、前記設定スイッチのスイッチ情報を検出し、選択された通信サービスの種別を判定する通信サービス種別判定手順と、前記通信端末内のコンピュータが、前記通信サービスの種別を識別するための特殊番号を記憶部に記憶する特殊番号記憶手順と、前記通信端末内のコンピュータが、前記ホストから発呼コマンドを受信した場合に、該発呼コマンドに特殊番号が含まれているか否かを判定し、特殊番号が含まれている場合には該特殊番号を削除する特番削除手順と、前記通信端末内のコンピュータが、前記特番削除手順により特殊番号が削除された発呼コマンドに、前記通信サービス種別判定手順により判定された通信サービスに対応する特殊番号を、前記記憶部から読み出して付加する特番付加手順と、前記通信端末内のコンピュータが、前記特番付加手順により特殊番号が付加された発呼コマンドにより発呼処理を行う発呼処理手順とを含むことを特徴とする。
これにより、従来ホスト側で行っていたサービス種別の設定を通信端末（例えば、ＰＨＳデータ通信カード）側で行うことができ、ユーザによるサービス種別の設定を簡略化でき、また誤入力を避けることができる。また、サービス種別をホスト側の設定に依存しないようにできるため、ホストが変わってもそのままの状態で使用することができ、複数のホストを保有するユーザのサービス種別設定の手間を削減できる。
【００１３】
また、本発明のコンピュータ読み取り可能な記録媒体は、ホストのコンピュータに装着され、該ホストと無線基地局との間のデータ通信に使用される通信端末内のコンピュータに、通信サービスの種別を識別するための特殊番号を記憶部に記憶する特殊番号記憶手順と、通信サービスの種別を選択するための設定スイッチのスイッチ情報を検出し、選択された通信サービスの種別を判定を判定する通信サービス種別判定手順と、前記ホストから発呼コマンドを受信した場合に、該発呼コマンドに特殊番号が含まれているか否かを判定し、特殊番号が含まれている場合には該特殊番号を削除する特番削除手順と、前記特番削除手順により特殊番号が削除された発呼コマンドに、前記通信サービス種別判定手順により判定された通信サービスに対応する特殊番号を、前記記憶部から読み出して付加する特番付加手順と、前記特番付加手順により特殊番号が付加された発呼コマンドにより発呼処理を行う発呼処理手順とを実行させるためのプログラムを記録したコンピュータ読み取り可能な記録媒体である。
【００１４】
また、本発明のコンピュータプログラムは、ホストのコンピュータに装着され、該ホストと無線基地局との間のデータ通信に使用される通信端末内のコンピュータに、通信サービスの種別を識別するための特殊番号を記憶部に記憶する特殊番号記憶手順と、通信サービスの種別を選択するための設定スイッチの情報を検出し、選択された通信サービスの種別を判定する通信サービス種別判定手順と、前記ホストから発呼コマンドを受信した場合に、該発呼コマンドに特殊番号が含まれているか否かを判定し、特殊番号が含まれている場合には該特殊番号を削除する特番削除手順と、前記特番削除手順により特殊番号が削除された発呼コマンドに、前記通信サービス種別判定手順により判定された通信サービスに対応する特殊番号を、前記記憶部から読み出して付加する特番付加手順と、前記特番付加手順により特殊番号が付加された発呼コマンドにより発呼処理を行う発呼処理手順とを実行させるためのプログラムである。
【発明の効果】
【００１５】
本発明の通信端末においては、通信サービスの種別を選択するための設定スイッチを設け、ホストから発呼コマンドを受信した場合に、設定スイッチにより選択されたサービス種別に対応する特殊番号を記憶部から読み出し、この特殊番号をホストから受信した発呼コマンドにより指定された電話番号に付加して発呼処理を行うようにしたので、これにより、従来ホスト側で行っていたサービス種別の設定を通信端末（例えば、ＰＨＳデータ通信カード）側で行うことができ、ユーザによるサービス種別の設定を簡略化でき、また誤入力を避けることができる。また、サービス種別をホスト側の設定に依存しないようにできるため、ホストが変わってもそのままの状態で使用することができ、複数のホストを保有するユーザのサービス種別設定の手間を削減できる。
【００１６】
また、本発明の通信端末においては、ホストから受信した発呼コマンドをそのまま使用することもできるようにしたので、これにより、ホスト側でサービス種別の設定を行うこともできるようになる。
【００１７】
また、本発明の通信端末においては、通信サービス種別を選択する設定スイッチにより、ホストから受信した発呼コマンドをそのまま使用することを選択するＯＦＦ設定と、ＰＩＡＦＳによる通信速度３２Ｋｂｐｓの通信サービスを選択するＰＩＡＦＳ３２設定と、ＰＩＡＦＳによる通信速度６４Ｋｂｐｓの通信サービスを選択するＰＩＡＦＳ６４設定と、通信されるデータ量に応じて通信速度を切り替えるために、例えばパケットによる通信速度３２ＫｂｐｓとＰＩＡＦＳによる通信速度６４Ｋｂｐｓの通信サービスをデータ流量に応じて切り替える方式を選択するＰａｃｋｅｔ／ＰＩＡＦＳ設定と、通信速度３２Ｋｂｐｓのパケット通信方式を選択するＰａｃｋｅｔ３２設定と、通信速度１２８Ｋｂｐｓのパケット通信方式を選択する１２８設定とが行えるようにしたので、これにより、各通信事業者が提供する通信サービスの種類に応じて、利用する通信サービスを通信端末側で容易にスイッチ設定できるようになる。
【００１８】
また、本発明の通信端末においては、読み書き可能な不揮発性メモリに特殊番号を記憶するようにしたので、これにより、将来サービスの変更・増設が発生した場合にも対応が可能となる。
【００１９】
また、本発明の通信端末においては、さらに発呼先電話番号の設定が可能なように構成したので、これにより、発呼先電話番号も設定可能となり、さらにユーザ設定が簡略化できる（ホストのダイヤルアップ設定時の電話番号設定は任意となる）。
【００２０】
また、本発明の通信サービス種別設定方法においては、通信サービスの種別を選択するための設定スイッチを設け、ホストから発呼コマンドを受信した場合に、設定スイッチにより選択されたサービス種別に対応する特殊番号を記憶部から読み出し、この特殊番号をホストから受信した発呼コマンドにより指定された電話番号に付加して発呼処理を行うようにしたので、これにより、従来ホスト側で行っていたサービス種別の設定を通信端末（例えば、ＰＨＳデータ通信カード）側で行うことができ、ユーザによるサービス種別の設定を簡略化でき、また誤入力を避けることができる。また、サービス種別をホスト側の設定に依存しないようにできるため、ホストが変わってもそのままの状態で使用することができ、複数のホストを保有するユーザのサービス種別設定の手間を削減できる。
【発明を実施するための最良の形態】
【００２１】
次に本発明を実施するための最良の形態について図面を参照して説明する。
図１は、本発明による通信端末の構成例を示す図である。図１（ａ）に示す通信端末１００は、ＰＨＳ用のカード通信端末の例であり、通信端末１００上には、手動で通信サービスのサービス種別を設定するための設定スイッチ１０１が設けられている。また、設定スイッチ１０１で設定可能なサービス種別と、サービス種別に対応する特番（特殊番号）が、不揮発性メモリであるＥＥＰＲＯＭ（Electronically Erasable and Programmable Read Only Memory）１０６内の特番記憶部１０６ａにテーブルとして記憶されている。
【００２２】
また、図１（ｂ）に示すように、通信端末１００はＰＣ（パーソナルコンピュータ）等のホスト１０にＰＣＭＣＩＡインターフェイス等により装着され、ホスト１０が無線基地局１とＰＨＳによりデータ通信を行うための通信端末となる。なお、無線基地局１はＰＨＳ電話網２に接続され、ＰＨＳ電話網２はインターネット網３と接続されている。
【００２３】
図１（ａ）に示すように、通信端末１００上の設定スイッチ１０１は、通信サービスの通信サービスの種別「ＯＦＦ、ＰＩＡＦＳ３２、ＰＩＡＦＳ６４、Ｐａｃｋｅｔ／ＰＩＡＦＳ、Ｐａｃｋｅｔ３２、Ｐａｃｋｅｔ１２８」の中から、いずれか１つのサービス種別を選択できるように構成されている（図１に示す例では、Ｐａｃｋｅｔ１２８が選択されている）。
【００２４】
各スイッチの設定と動作は、以下の通りである。
ＯＦＦスイッチは、ホスト１０の発呼コマンドであるＡＴＤコマンドにて指定された通りの特番（特殊番号）で発呼を行う。
ＰＩＡＦＳ３２スイッチは、通信速度３２ＫｂｐｓのＰＩＡＦＳ（PHS Internet Access Forum Standard）方式を選択するための設定スイッチであり、ＡＴＤコマンドにて指定された電話番号の後に“＃＃３”を付加して発呼を行う。
ＰＩＡＦＳ６４スイッチは、ＰＩＡＦＳにより通信速度６４Ｋｂｐｓのデータ通信サービスを行うための設定スイッチであり、ＡＴＤコマンドにて指定された電話番号の後に“＃＃４”を付加して発呼を行う。
【００２５】
Ｐａｃｋｅｔ／ＰＩＡＦＳスイッチは、通信されるデータ量に応じて通信速度を切り替えるために、パケットまたはＰＩＡＦＳの通信種別をデータ流量に応じて切り替える方式を選択する設定スイッチであり、ＡＴＤコマンドにて指定された電話番号の後に“＃＃７”を付加して発呼を行う。
Ｐａｃｋｅｔ３２スイッチは、通信速度３２Ｋｂｐｓのパケット方式を選択するためのスイッチであり、ＡＴＤコマンドにて指定された電話番号の後に“＃＃６１”を付加して発呼を行う。
Ｐａｃｋｅｔ１２８スイッチは、通信速度１２８Ｋｂｐｓのパケット方式を選択するためのスイッチであり、ＡＴＤコマンドにて指定された電話番号の後に“＃＃６４”を付加して発呼を行う。
【００２６】
このように、通信端末１００の本体にサービス種別設定用のスイッチを設け、ホスト１０からＡＴＤコマンド（発呼コマンド）が発行された際には設定スイッチ１０１にて設定されたサービス種別に応じた特番（特殊番号）を付加して発呼動作を行うようにする。また、ＡＴＤコマンドコマンドに特番が付加されていた場合はそれを削除し、設定スイッチに準じた特番に置き換える。但し設定スイッチによる種別設定がない場合は（ＯＦＦスイッチがＯＮの場合）は、ＡＴＤコマンドの特番はそのままとする。
【００２７】
なお、それぞれのスイッチ設定に応じた特番はＥＥＰＲＯＭ（読み書き可能な不揮発性メモリ）１０６の特番記憶部１０６ａに保持し、ユーザによる設定変更を可能とする。これにより将来サービスの変更・増設が発生した場合にも対応が可能となる。
【００２８】
さらに、例えば、契約コース設定スイッチを設けることにより、発呼先電話番号も設定可能とするようにもでき、この場合は、さらにユーザ設定が簡略化できる（ホストのダイヤルアップ設定時の電話番号設定は任意となる）。なお、契約コース設定スイッチに対応する発呼先電話番号はＡＴコマンドによりユーザ設定可能とすることもできる。
【００２９】
また、図２は、通信端末１００の内部構成を示すブロック図である。図２に示すように、通信端末１００は、通信端末１００の全体を制御する制御用ＣＰＵ１１０、無線基地局１と無線による送受信を行うための無線部１２０、サービス種別を設定するための設定スイッチ１０１、ホストからＡＴＤコマンドを受信するＰＣＭＣＩＡ等の外部Ｉ／Ｆ１０２、電波レベルや動作状態などを表示する表示部１０３、通信端末１００の処理に必要なプログラム等を記憶するＲＯＭ１０４、通信端末の処理に必要なデータ等を記憶するＲＡＭ１０５、特番等を記憶するＥＥＰＲＯＭ（不揮発性メモリ）１０６、無線基地局と電波を送受信するアンテナ１０７等で構成されている。
【００３０】
また、図３は制御用ＣＰＵの内部機能の構成例を示すブロック図である。図３に示すように、制御用ＣＰＵ１１０内には、発呼番号編集処理部１１１、設定スイッチ検出部１１４、サービス種別判定部（サービス種別判定手段）１１５、発呼処理部（発呼処理手段）１１６が設けられ、発呼番号編集処理部１１１内には特番付加部（特番付加手段）１１２と、特番削除部（特番削除手段）１１３が設けられている。
【００３１】
図３に示す構成において、設定スイッチ１０１により設定されたスイッチ情報は、設定スイッチ検出部１１４により検出され、このスイッチ情報はサービス種別判定部１１５に送られる。サービス種別判定部１１５では、設定スイッチ検出部１１４から送られたスイッチ情報を基に通信サービス種別を判定し、通信サービス種別の判定情報は発呼番号編集処理部１１１に送られる。発呼番号編集処理部１１１では、特番付加部１１２により外部Ｉ／Ｆ１０２から送られるＡＴＤコマンドにて指定された特番を、特番削除部１１３により削除し、その後、特番付加部１１２により、サービス種別に応じた特番をＥＥＰＲＯＭ１０６の特番記憶部１０６ａから読み出し、ＡＴＤコマンドにて指定された電話番号の後に付加し、発呼処理部１１６により発呼を行う。
【００３２】
また、図４は、発呼番号編集処理部１１１における処理の流れを示すフローチャートであり、上述した処理の流れを整理して示したものである。図４を参照して、最初に設定スイッチ１０１のスイッチ状態が設定スイッチ検出部１１４により検出され、サービス種別判定部１１５により通信サービスのサービス種別が判定され、発呼番号編集処理部１１１に送られる（ステップＳ１）。
【００３３】
そして、サービス種別がＰＩＡＦＳ３２の場合は、外部Ｉ／Ｆ１０２から送られたＡＴＤコマンドの特番を削除し（ステップＳ１１）、ＰＩＡＦＳ３２に対応する特番をＥＥＰＲＯＭ１０６の特番記憶部１０６ａから読み出し（ステップＳ１２）、読み出した特番をＡＴＤコマンドに付加し（ステップＳ１３）、発呼処理部１１６へ送信する（ステップＳ６０）。
【００３４】
また、サービス種別がＰＩＡＦＳ６４の場合は、外部Ｉ／Ｆ１０２から送られたＡＴＤコマンドの特番を削除し（ステップＳ２１）、ＰＩＡＦＳ６４に対応する特番をＥＥＰＲＯＭ１０６の特番記憶部１０６ａから読み出し（ステップＳ２２）、読み出した特番をＡＴＤコマンドに付加し（ステップＳ２３）、発呼処理部１１６へ送信する（ステップＳ６０）。
【００３５】
また、サービス種別がＰａｃｋｅｔ／ＰＩＡＦＳの場合は、外部Ｉ／Ｆ１０２から送られたＡＴＤコマンドの特番を削除し（ステップＳ３１）、Ｐａｃｋｅｔ／ＰＩＡＦＳに対応する特番をＥＥＰＲＯＭ１０６の特番記憶部１０６ａから読み出し（ステップＳ３２）、読み出した特番をＡＴＤコマンドに付加し（ステップＳ３３）、発呼処理部１１６へ送信する（ステップＳ６０）。
【００３６】
また、サービス種別がＰａｃｋｅｔ３２の場合は、外部Ｉ／Ｆ１０２から送られたＡＴＤコマンドの特番を削除し（ステップＳ４１）、Ｐａｃｋｅｔ３２に対応する特番をＥＥＰＲＯＭ１０６の特番記憶部１０６ａから読み出し（ステップＳ４２）、読み出した特番をＡＴＤコマンドに付加し（ステップＳ４３）、発呼処理部１１６へ送信する（ステップＳ６０）。
【００３７】
また、サービス種別がＰａｃｋｅｔ１２８の場合は、外部Ｉ／Ｆ１０２から送られたＡＴＤコマンドの特番を削除し（ステップＳ５１）、Ｐａｃｋｅｔ１２８に対応する特番をＥＥＰＲＯＭ１０６の特番記憶部１０６ａから読み出し（ステップＳ５２）、読み出した特番をＡＴＤコマンドに付加し（ステップＳ５３）、発呼処理部１１６へ送信する（ステップＳ６０）。
【００３８】
なお、サービス種別がＯＦＦの場合には、外部Ｉ／Ｆ１０２から送られたＡＴＤコマンドをそのまま発呼処理部１１６へ送信する。
【００３９】
以上、本発明の実施の形態について説明したが、本発明の通信端末は、上述の図示例にのみ限定されるものではなく、本発明の要旨を逸脱しない範囲内において種々変更を加え得ることは勿論である。
【産業上の利用可能性】
【００４０】
本発明は、ユーザによる通信サービス種別の設定を簡略化でき、また、ホストが変わってもそのままの状態で使用でき、さらに、複数のホストを保有するユーザのサービス種別の設定の手間を低減できる効果を奏するので、本発明は、通信端末、通信サービス種別設定方法、記録媒体、およびプログラム等に有用である。
【図面の簡単な説明】
【００４１】
【図１】本発明による通信端末の構成例を示す図である。
【図２】通信端末の内部構成を示すブロック図である。
【図３】制御用ＣＰＵの内部機能の構成例を示すブロック図である。
【図４】発呼番号編集処理部における処理の流れを示すフローチャートである。
【符号の説明】
【００４２】
１  無線基地局
２  ＰＨＳ電話網
３  インターネット網
１０  ホスト
１００  通信端末
１０１  設定スイッチ
１０２  外部Ｉ／Ｆ
１０３  表示部
１０４  ＲＯＭ
１０５  ＲＡＭ
１０６  ＥＥＰＲＯＭ
１０６ａ  特番記憶部
１０７  アンテナ
１１０  制御用ＣＰＵ
１１１  発呼番号編集処理部
１１２  特番付加部
１１３  特番削除部
１１４  設定スイッチ検出部
１１５  サービス種別判定部
１１６  発呼処理部
１２０  無線部
【図１】
0004563283.tif 000002
【図２】
0004563283.tif 000003
【図３】
0004563283.tif 000004
【図４】
0004563283.tif 000005